(57)【要約】  【課題】  【解決手段】  通信中の第１の通信デバイスに近接する第２の通信デバイスを検出し、この通話を実質的に遮断することなく前記第２のデバイスへ転送する。【選択図】  図２
2008532341.tif 000002
【特許請求の範囲】
【請求項１】
方法において：
通話中の第１の通信デバイスに近接する第２の通信デバイスを検出するステップと；
前記通話を実質的に遮断することなく前記第２のデバイスへ転送するステップと；
を具えることを特徴とする方法。
【請求項２】
請求項１に記載の方法において、通話中の第１の通信デバイスに近接する第２の通信デバイスを検出するステップが更に：前記第１及び第２の通信デバイス間にブルートゥース通信を適用するステップを具えることを特徴とする方法。
【請求項３】
請求項２に記載の方法において、前記第２の通信デバイスが更に：デスクトップコンピュータ、ラップトップコンピュータ、テレビジョン、または無線電話ハンドセットを具えることを特徴とする方法。
【請求項４】
請求項１に記載の方法において、通話中の第１の通信デバイスに近接する第２の通信デバイスを検出するステップが更に：前記第２のデバイスが通信している無線信号を検出するステップを具えることを特徴とする方法。
【請求項５】
請求項４に記載の方法において、前記第２のデバイスによって通信している無線信号を検出するステップが更に：赤外線信号を検出するステップを具えることを特徴とする方法。
【請求項６】
請求項１に記載の方法において、通話中の第１の通信デバイスに近接する第２の通信デバイスを検出するステップが更に：一またはそれ以上の画像から前記第２の通信デバイスを同定するステップを具えることを特徴とする方法。
【請求項７】
請求項６に記載の方法において、前記第２の通信デバイスが更に：デスクトップコンピュータ、ラップトップコンピュータ、テレビジョン、又は無線電話ハンドセットを具えることを特徴とする方法。
【請求項８】
請求項１に記載の方法において、前記通話が前記第１のデバイスと進行中である間に、前記通話を実質的に遮断されずに前記第２のデバイスへ転送するステップが更に：前記通話の情報を前記第２のデバイスに実質的に複製することを特徴とする方法。
【請求項９】
請求項１に記載の方法において、前記通話を実質的に遮断されずに前記第２のデバイスへ転送するステップが更に：前記第２のデバイスへ通話接続を設定し、通話情報を前記第２のデバイスへ実質的に複製するステップを具えることを特徴とする方法。
【請求項１０】
請求項１に記載の方法において、前記通話を実質的に遮断されずに前記第２のデバイスへ転送するステップが更に：前記第２のデバイスとの近接性を獲得した結果、自動的に前記通話を転送するステップを具えることを特徴とする方法。
【請求項１１】
請求項１に記載の方法において、前記通話を実施的に遮断されずに前記第２のデバイスへ転送するステップが更に：前記第１のデバイスの少なくとも一の制御装置を操作した結果、前記通話を前記第２のデバイスへ転送するステップを具えることを特徴とする方法。
【請求項１２】
請求項１１に記載の方法において、前記第１のデバイスの前記制御装置が更に：少なくとも一のボタン、レバー、ダイアル、接触領域、スイッチ、または音声コマンド制御を具えることを特徴とする方法。
【請求項１３】
請求項１に記載の方法において、前記通話を実質的に遮断されずに前記第２のデバイスへ転送するステップが更に：前記第２のデバイスの制御装置の操作に応じて前記通話を転送するステップを具えることを特徴とする方法。
【請求項１４】
請求項１３に記載の方法において、前記第２のデバイスの制御装置が更に：少なくとも一のボタン、レバー、ダイアル、接触領域、スイッチ、又は音声コマンド制御を具えることを特徴とする方法。
【請求項１５】
請求項１に記載の方法において、前記通話を実質的に遮断されずに前記第２のデバイスへ転送するステップが更に：前記第１のデバイスとの通信を徐々に減衰させるステップを具えることを特徴とする方法。
【請求項１６】
請求項１５に記載の方法において、前記第１のデバイスとの通信を徐々に減衰させるステップが更に：前記第１のデバイスとの前記通信量を徐々に低減させるステップを具えることを特徴とする方法。
【請求項１７】
請求項１に記載の方法において、前記通信を実質的に遮断されずに前記第２のデバイスへ転送するステップが更に：前記通話が行われているネットワークに対して前記第２のデバイスを同定して、前記ネットワークが前記第２のデバイスへの通話を実質的に複製するステップを具えることを特徴とする方法。
【請求項１８】
請求項１に記載の方法において、前記通話を実質的に遮断されずに前記第２のデバイスへ転送するステップが更に：前記第２のデバイスへ向けた前記第１のデバイスの動きに応じて前記通話を転送することを特徴とする方法。
【請求項１９】
請求項１に記載の方法において、前記通話を実質的に遮断されずに前記第２のデバイスへ転送するステップが更に：前記第２のデバイスへ向けて前記第１のデバイスを方向付けることに応じて前記通話を転送することを特徴とする方法。
【請求項２０】
請求項１に記載の方法において、通話中の第１の通信デバイスに近接する第２の通信デバイスを検出するステップが更に：前記第１のデバイスがある物理的領域内にあることを検出するステップと、前記第２のデバイスも前記物理的領域内にあることを検出するステップとを具えることを特徴とする方法。
【請求項２１】
請求項１に記載の方法において、通話中の第１の通信デバイスに近接する第２の通信デバイスを検出するステップが更に：第３の通信デバイスと前記第２の通信デバイスとの間に無線通信を適用するステップを具えることを特徴とする方法。
【請求項２２】
請求項２１に記載の方法において、第３の通信デバイスと前記第２の通信デバイス間に無線通信を適用するステップが更に：前記第２の通信デバイスと前記第１の通信デバイスのユーザが担持するデバイスとの間にブルートゥース通信を適用するステップを具えることを特徴とする方法。
【請求項２３】
請求項２２に記載の方法において、前記第２の通信デバイスと前記第１の通信デバイスのユーザが担持するデバイスとの間にブルートゥース通信を適用するステップが更に：前記第２の通信デバイスと前記第１の通信デバイスのユーザが身につけているメダリオンとの間にブルートゥース通信を適用するステップを具えることを特徴とする方法。
【請求項２４】
請求項２３に記載の方法において、前記第１の通信デバイスが更に：携帯電話、無線電話ハンドセット、携帯型情報端末、またはラップトップコンピュータを具えることを特徴とする方法。
【請求項２５】
請求項２３に記載の方法において、前記第２の通信デバイスが更に：デスクトップコンピュータ、ラップトップコンピュータ、テレビジョン、または無線電話ハンドセットを具えることを特徴とする方法。
【請求項２６】
請求項２２に記載の方法において、前記第１の通信デバイスが更に：携帯電話、無線電話ハンドセット、携帯型情報端末、またはラップトップコンピュータを具えることを特徴とする方法。
【請求項２７】
請求項２２に記載の方法において、前記第２の通信デバイスが更に：デスクトップコンピュータ、ラップトップコンピュータ、テレビジョン、または無線電話ハンドセットを具えることを特徴とする方法。
【請求項２８】
請求項２２に記載の方法において、前記第１の通信デバイスが更に：ブルートゥースメダリオンを具えることを特徴とする方法。
【請求項２９】
請求項２１に記載の方法において、前記第２の通信デバイスが更に：デスクトップコンピュータ、ラップトップコンピュータ、テレビジョン、または無線電話ハンドセットを具えることを特徴とする方法。
【請求項３０】
請求項１に記載の方法において、前記通話を実質的に遮断されずに前記第２のデバイスへ転送するステップが更に：前記第２のデバイスとの通信を徐々に強化するステップを具えることを特徴とする方法。
【請求項３１】
請求項３０に記載の方法において、前記第２のデバイスとの通信を徐々に強化するステップが更に：前記第２のデバイスとの通信量を徐々に増加するステップを具えることを特徴とする方法。
【請求項３２】
請求項１に記載の方法において、前記第１の通信デバイスが更に：携帯電話、無線電話ハンドセット、携帯型情報端末、またはラップトップコンピュータを具えることを特徴とする方法。
【請求項３３】
請求項１に記載の方法において、前記第２の通信デバイスが更に：デスクトップコンピュータ、ラップトップコンピュータ、テレビジョン、または無線電話ハンドセットを具えることを特徴とする方法。
【請求項３４】
請求項１に記載の方法において、前記第１の通信デバイスが更に：ブルートゥースメダリオンを具えることを特徴とする方法。
【請求項３５】
請求項１に記載の方法が更に、前記通話を実質的に遮断されることなく前記第１のデバイスへ返送するステップを具えることを特徴とする方法。
【請求項３６】
請求項３５に記載の方法において、前記通話を実質的に遮断されることなく前記第１のデバイスへ返送するステップが更に：前記第２のデバイスから遠ざかる前記第１のデバイスの移動に応じて前記第１のデバイスへの通話を返送するステップを具えることを特徴とする方法。
【請求項３７】
請求項３５に記載の方法において、前記通話を実質的に遮断されずに前記第１のデバイスへ返送するステップが更に：前記第１のデバイスの制御装置を操作することに応じて前記第１のデバイスへ前記通話を返送するステップを具えることを特徴とする方法。
【請求項３８】
請求項３７に記載の方法において、前記第１のデバイスの制御装置が更に：少なくとも一のボタン、レバー、ダイアル、接触領域、スイッチ、又は音声コマンド制御を具えることを特徴とする方法。
【請求項３９】
請求項３５に記載の方法において、前記通話を実質的に遮断することなく前記第１のデバイスへ返送するステップが更に：前記第２のデバイスの制御装置の操作に応じて前記第１のデバイスへ前記通話を返送するステップを具えることを特徴とする方法。
【請求項４０】
請求項３９に記載の方法において、前記第２のデバイスの前記制御装置が更に：少なくとも一のボタン、レバー、ダイアル、接触領域、スイッチ、又は音声コマンド制御を具えることを特徴とする方法。
【請求項４１】
請求項３５に記載の方法において、前記通話を実質的に遮断することなく前記第１のデバイスへ返送する方法が更に：前記第２のデバイスとの通信を徐々に減衰させるステップを具えることを特徴とする方法。
【請求項４２】
請求項３５に記載の方法において、前記通話を実質的に遮断することなく前記第１のデバイスへ返送するステップが更に：前記第１のデバイスとの通信を徐々に強化するステップを具えることを特徴とする方法。
【請求項４３】
請求項４２に記載の方法において、前記第１のデバイスとの通信を徐々に強化するステップが：前記第１のデバイスとの通信量を徐々に増加させるステップを具えることを特徴とする方法。
【請求項４４】
請求項１に記載の方法が更に：前記第１のデバイスとの通信を終了するステップを具えることを特徴とする方法。
【請求項４５】
請求項１に記載の方法が更に：
前記第１のデバイスが第２の通話を受信するステップと；及び
前記第２の通話を前記第２のデバイスへ転送するステップと；
を具えることを特徴とする方法。
【請求項４６】
請求項１に記載の方法が更に：前記第２のデバイスにおける前記通話の状態の少なくとも一部を実質的に複製するステップを具えることを特徴とする方法。
【請求項４７】
請求項１に記載の方法が更に：中央構内デバイスを通って前記第１及び第２のデバイスへの通信を経路を決定するステップを具えることを特徴とする方法。
【請求項４８】
請求項１に記載の方法が更に：前記第１のデバイスを通って前記第２のデバイスへの通信を経路を決定するステップを具えることを特徴とする方法。
【請求項４９】
請求項１に記載の方法が更に：前記第２のデバイスと前記第１のデバイスの近接性を検出した結果、前記第１のデバイスが通話中の転送が可能である旨の表示を行うことを特徴とする方法。
【請求項５０】
請求項４９に記載の方法において、通話中の転送が可能であるとの表示を行う前記第１のデバイスが更に：前記第１のデバイスが、前記第２のデバイスへの通話中の転送が可能であるとの表示を行うステップを具えることを特徴とする方法。
【請求項５１】
請求項４９に記載の方法において、前記第１のデバイスが通話中の転送が可能であるとの表示を行うステップが更に：前記第１のデバイスが、タッチスクリーン選択、発光ダイオードの活性化又はその他の視覚的表示、又は、トーンまたはその他の可聴表示のうちの少なくとも一つを提供するステップとを具えることを特徴とする方法。
【請求項５２】
方法において：
通信データのデータタイプを検出するステップと；
前記データタイプを示すことができる近接デバイスを同定するステップと；及び
前記データタイプを有する前記通信のデータを前記近接デバイスへ実質的に遮断することなく転送するステップと；
を具えることを特徴とする方法。
【請求項５３】
請求項５２に記載の方法において、前記データタイプを有する通信のデータを前記近接デバイスへ実質的に遮断することなく転送するステップが更に：前記データタイプを有していないデータの前記第１のデバイスとの通信を維持するステップと、前記近接デバイスへ前記データタイプを有するデータを転送するステップとを具えることを特徴とする方法。
【請求項５４】
請求項５２に記載の方法において、前記通信データのデータタイプが更に：音声、ビデオ、データファイルまたは音楽を具えることを特徴とする方法。
【請求項５５】
請求項５２に記載の方法において、前記データタイプを示すステップが更に：画像を表示するステップ、ビデオを再生するステップ、音または音楽を再生するステップのうち少なくとも一つを具えることを特徴とする方法。
【請求項５６】
請求項５２に記載の方法が更に：前記第１のデバイスとの通信を終了するステップを具えることを特徴とする方法。
【請求項５７】
請求項５２に記載の方法が更に：前記第２のデバイスにおける前記通話状態の少なくとも一部を実質的に複製するステップを具えることを特徴とする方法。
【請求項５８】
請求項５２に記載の方法が更に：中央構内デバイスを介して前記第１および第２のデバイスへの通信の経路を決定するステップを具えることを特徴とする方法。
【請求項５９】
請求項５２に記載の方法が更に：前記第１のデバイスを通って前記第２のデバイスへの通信の経路を決定するステップを具えることを特徴とする方法。
【請求項６０】
請求項５２に記載の方法が更に：前記第２のデバイスと前記第１のデバイスの近接性を検出した結果、前記第１のデバイスが通話中の転送が可能であること表示することを特徴とする方法。
【請求項６１】
請求項６０に記載の方法において、通話中の転送が可能であることを表示する前記第１のデバイスが更に：前記第１のデバイスが前記第２のデバイスへの通話中の転送が可能であるとの表示を行うステップを具えることを特徴とする方法。
【請求項６２】
請求項６０に記載の方法において、通話中の転送が可能であることを前記第１のデバイスが表示するステップが更に：前記第１のデバイスが、タッチスクリーンの選択、発光ダイオードの活性化、あるいはその他の視覚的表示のうちの少なくとも一つを提供する、あるいは、トーンまたはその他の可聴表示を提供するステップを具えることを特徴とする方法。
【請求項６３】
第１の通信デバイスにおいて：
前記第１の通信デバイスへ近接した第２の通信デバイスを検出するロジックと；及び
前記第１のデバイスから前記第２のデバイスへの通話を実質的に遮断されることなく転送を開始するロジックと；
を具えることを特徴とする第１の通信デバイス。
【請求項６４】
請求項６３に記載の第１の通信デバイスにおいて、前記第１の通信デバイスが更に：携帯電話、無線電話ハンドセット、携帯型情報端末、またはラップトップコンピュータを具えることを特徴とする第１の通信デバイス。
【請求項６５】
請求項６３に記載の第１の通信デバイスにおいて、前記第２の通信デバイスが更に：デスクトップコンピュータ、ラップトップコンピュータ、テレビジョン、または無線電話ハンドセットを具えることを特徴とする第１の通信デバイス。
【請求項６６】
請求項６３に記載の第１の通信デバイスにおいて、前記第１の通信デバイスが更に：ブルートゥースメダリオンを具えることを特徴とする第１の通信デバイス。
【請求項６７】
方法において：
通信データに関連するアプリケーションを同定するステップと；
前記アプリケーションを提供可能な近位デバイスを同定するステップと；及び
前記アプリケーションに関連するデータの実質的に遮断されない前記近位デバイスへの転送を提供するステップと；
を具えることを特徴とする方法。
【請求項６８】
請求項６７に記載の方法において、前記通信データに関連するアプリケーションを同定するステップが更に：チャットアプリケーション、メッセージアプリケーション、ゲームアプリケーション、ビデオアプリケーション、画像処理アプリケーション、音楽アプリケーション、または音響アプリケーションのうちの少なくとも一つを具えることを特徴とする方法。
【請求項６９】
請求項６７に記載の方法が更に：前記第２のデバイスにおける通話の状態の少なくとも一部を実質的に複製するステップを具えることを特徴とする方法。
【請求項７０】
請求項６７に記載の方法が更に：中央構内デバイスを介して前記第１及び第２のデバイスへの通信の経路を決定するステップを具えることを特徴とする方法。
【請求項７１】
請求項６７に記載の方法が更に：前記第１のデバイスを介して前記第２のデバイスへの通信の経路を決定するステップを具えることを特徴とする方法。
【請求項７２】
請求項６７に記載の方法が更に：前記第２のデバイスと前記第１のデバイスの近接性を検出した結果、前記第１のデバイスが通話中の転送が可能であるとの表示を提供するステップを具えることを特徴とする方法。
【請求項７３】
請求項７２に記載の方法において、前記第１のデバイスが通話中の転送が可能であるとの表示を行うステップが更に：前記第１のデバイスが前記第２のデバイスへの通話中の転送が可能であるとの表示を提供するステップを具えることを特徴とする方法。
【請求項７４】
請求項７２に記載の方法において、前記第１のデバイスが通話中の転送が可能であるとの表示を提供するステップが更に：第１のデバイスが、タッチスクリーンの選択、発光ダイオードの活性化、あるいはその他の視覚的表示のうちの少なくとも一つを提供する、あるいは、音またはその他の可聴表示を提供するステップ具えることを特徴とする方法。
【請求項７５】
装置において：
通話中の第１の通信デバイスに近接する第２の通信デバイスを検出する手段と；及び
前記通話を実質的に遮断することなく前記第２のデバイスへの転送する手段と；
を具えることを特徴とする装置。
【請求項７６】
装置において：
通信データのデータタイプを検出する手段と；
前記データタイプを示すことができる近接デバイスを同定する手段と；及び
前記データタイプを有する前記通信のデータの実質的に遮断されることなく前記近接デバイスへ転送する手段と；
を具えることを特徴とする装置。
【請求項７７】
装置において：
通信データに関連するアプリケーションを同定する手段と；
前記アプリケーションを提供可能な近接デバイスを同定する手段と；及び
前記アプリケーションと関連するデータを実質的に遮断されることなく前記近接デバイスへ転送する手段と；
を具えることを特徴とする装置。
【請求項７８】
マシーンメモリにおいて：
通話中の第１の通信デバイスに近接する第２の通信デバイスを検出するロジックと；及び
前記通話を実質的に遮断することなく前記第２のデバイスへの転送するロジックと；
を具えることを特徴とするマシーンメモリ。
【請求項７９】
マシーンメモリにおいて：
通信データのデータタイプを検出するロジックと；
前記データタイプを示すことができる近接デバイスを同定するロジックと；及び
前記データタイプを有する前記通信のデータを実質的に遮断されることなく前記近接デバイスへ転送するロジックと；
を具えることを特徴とするマシーンメモリ。
【請求項８０】
マシーンメモリにおいて：
通信データに関連するアプリケーションを同定するロジックと；
前記アプリケーションを提供可能な近接デバイスを同定するロジックと；及び
前記アプリケーションに関連するデータを実質的に遮断されることなく前記近接デバイスへ転送するロジックと；
を具えることを特徴とするマシーンメモリ。
【発明の詳細な説明】
【技術分野】
【０００１】
関連出願のクロスリファレンス
本出願は、以下に挙げる出願（「関連出願」）の最も早い有効出願日を請求するものであり（例えば、暫定出願以外の最も早い優先日を要求；暫定特許出願に関する35USC§119(e)の利益を要求）、これらの出願の全ての主題は、このような主題が一致しない範囲に全体的に引用することによって組み込まれており；本出願はまた、関連出願の親出願、親の親出願、その親出願などの全ての出願の最も早い有効出願日を要求し、また、これらの出願の全ての主題は全体的に引用によって、これらの主題が一致しない範囲に組み込まれている。
【０００２】
関連出願
近接デバイスへの通信中転送と題され、発明者であるPaul G. Allen, Edward K.Y. Jung, Royce A. Levien, Mark A. Malamud 及び John D. Rinaldo, Jr. により、２００４年１１月２２日に出願された米国特許出願第１０／９９５，８８９号は、現在継続中であり、さもなければ現在継続中の出願がこの出願日の利益を与えられている出願である。
【０００３】
技術分野
本開示は、通信中の転送スキームに関連する。
【０００４】
移動通信デバイスは、現在では、個人的環境と商業的環境の双方に共通する特徴である。このようなデバイスは、機能性と信頼性の双方の改良を続けている。しかしながら、移動度に適応することに欠点がある。このようなデバイスは、制限の中でもとりわけ、キーボードが小さく、制限されており、スクリーンが小さい傾向にある。
【０００５】
モバイルデバイスのユーザは、しばしば他の通信デバイスと近接している。これらの他のデバイスは、そのサイズがモバイルデバイスより大きいため、より多くの持ち運び可能なデバイスの中で容易に入手できない利点がある。例えば、これらの他のデバイスは、そのモバイル相手方部品に対して、優れたオーディオ機能、ビデオ機能、あるいは画像機能を持つことがある。これらの理由およびその他の理由によって、モバイルデバイスを介する通信を行う場合に近接デバイス機能を利用することは有利である。
【０００６】
概要
以下の概要は、開示されている実施例のいくつかの態様に焦点を当てて紹介することを意図しているが、請求項の範囲を限定するものではない。以後に、図に示す実施例を詳細に説明する。この説明により、関連分野の当業者はここに開示されている主題の態様を製造し、使用することができる。関連分野の当業者は、図面と共に、請求項（詳細な説明に合致している）から読まれる以下の詳細な説明からここに記載された主題の態様を完全に理解することができる。
【０００７】
いくつかの実施例では、通信中の第１の通信デバイスに近接する第２の通信デバイスが検出され、実質的に遮断されることなくこの通信が第２のデバイスに転送される。この通信は、第２のデバイスとの近接性を獲得した結果自動的に転送され、及び／又は、第１のデバイスの少なくとも一の制御操作の結果転送される。第１のデバイスとの通信量は徐々に低減され、第２のデバイスとの通信量が徐々に大きくなる。
【０００８】
いくつかの実施例では、第３の通信デバイスと第２の通信デバイス間で無線通信を行うことによって、第１の通信デバイスに近接する第２の通信デバイスが検出される。第３と第２のデバイスはブルートゥース無線技術を用いて通信することができる。第３の通信デバイスは、第１の通信デバイスのユーザが携帯するメダリオンなどのデバイスであっても良い。
【図面の簡単な説明】
【０００９】
ここに記載された見出しは、便宜上のためだけのものであり、請求項の範囲または意味に必ずしも影響するものではない。
【００１０】
図面において、同じ符号および略語は、理解を容易にし、便宜上、同じ又は同様の機能を持つ要素または作用を同定するものである。いずれかの特定の要素あるいは作用を容易に同定するために、符号中の最上位の数字は、その要素が最初に生じた図番を意味する。
【００１１】
【図１】図１は、通信環境の一実施例を示すブロック図である。
【図２】図２は、通信転送プロセスの一実施例を示す動作フロー図である。
【図３】図３は、部分的通信転送プロセスの一実施例を示す動作フロー図である。
【００１２】
詳細な説明
本発明の主題を様々な実施例と関連させて以下に述べる。以下の記載は、請求項を完全に理解し、請求項の記載を実現するための特定の詳細を提供するものである。しかしながら、当業者は、ここに記載されている主題がこれらの詳細無しでも実施できることを理解するであろう。その他の場合では、ここに述べる主題に関する実施例の説明を不必要に妨げないようにするために、公知の構造および機能は詳細に示されていない、あるいは記載されていない。「一の実施例」または「ある実施例」といった記載は、必ずしも同じ実施例を意味するものではないが、同じ実施例を意味する場合もある。
【００１３】
図１は、通信環境を示すブロック図である。無線通信デバイス１１２は、その他のデバイスへおよびその他のデバイスからの信号を無線通信する。無線通信デバイスの例は、携帯電話１１２、無線電話ハンドセット１１６、携帯型情報端末、及び／又はラップトップコンピュータである。無線通信デバイス１１２は、人の声を表すアナログ及び／又はデジタル信号を送受信することができる。無線通信デバイス１１２は、様々な形式の非音声データを送受信することもできる。
【００１４】
無線通信デバイス１１２は、直接的に、あるいは同じ場所に配置した無線基地局１０６の一またはそれ以上のアンテナ１０８を介して、ネットワーク１１４と信号を交換する。
【００１５】
無線デバイス１１２とネットワーク１１４との間の信号の交換によって、通話が設定され、これによってデバイスのユーザは、音声情報及び／又は非音声情報を得て別の人間に、及び／又は、コンピュータデバイスに提供することができる。例えば、二人の人間が、デバイス１１２などの携帯電話を使用して会話を行うことができる。あるいは、デバイス１１２のユーザは、コンピュータデバイスと情報をやりとりして、電子メールを得ることができる。
【００１６】
通信環境は、デスクトップコンピュータ１０２を具えていても良く、このコンピュータは、ディスプレイ１０４及び／又はスピーカ１０６を具える。代替的に、あるいは追加で、いくつかの環境は、例えば、ラップトップコンピュータ、あるいは、中央共通コンピュータ資源への端末インターフェースを具えていても良い。
【００１７】
ディスプレイ１０４は、テキスト、画像、ウインドウズ、メニュー、アイコン、およびビデオなどの視覚情報のディスプレイを提供する。いくつかの実施例では、ディスプレイ１０４は、陰極線管技術を具えている。別の実施例では、ディスプレイ１０４は平面スクリーン技術を具えている。
【００１８】
スピーカ１０６は、音響情報の表示（例えば演奏）を提供する。いくつかの実施例では、スピーカ１０６は、ヘッドホンを具えている。別の実施例では、独立型及び／又はビルトインスピーカ１０６を使用することができる。
【００１９】
マイクロホン１１８は、音を音響情報に変換する。いくつかの実施例では、マイクロホン１１８が、コンピュータデバイス内に作りつけられている。マイクロホン１１８は、ヘッドセットと一体化されていてもよく、あるいは、独立型の有線または無線マイクロホンを具えていても良い。通信環境内には一またはそれ以上のマイクロホン１１８があってもよい。
【００２０】
第１の通信デバイス１１２が通話している間、第２の通信デバイスとの近接性を検知することができる。第２の通信デバイスの例には、ほんのわずかな可能性を挙げると、デスクトップコンピュータ１０２、ラップトップ、コンピュータ、テレビジョン１１０、あるいは無線電話ハンドセット１１６が含まれる。二つの通信デバイス間の近接性を検知するロジックは、第１のデバイス１１２内、第２のデバイス１０２、１１０または１１６内、ネットワーク１１４内、及び／又はこれらの組み合わせ及び／又はその他のデバイス内にある。ここで使用する場合、ロジックには、回路、及び／又は、表示された動作を実行するメモリ内に保存された指示が含まれる。
【００２１】
第２のデバイス１０２、１１０または１０６の検出には、第２のデバイス１０２、１１０または１１６によって通信される無線信号の検出が含まれる。第２のデバイス１０２、１１０、または１１６によって通信される無線信号の検出には、赤外線信号の検出、及び／又は第１のデバイス１１２と、第２のデバイス１０２、１１０または１０６間へのブルートゥース通信の適用が含まれる。
【００２２】
通話中の第１の通信デバイス１１２に近接する第２の通信デバイス１０２、１１０、または１０６の検出には、第２のデバイス１０２、１１０または１１６を、第１のデバイス１１２または第２のデバイス１０２、１１０、１１６によって取得された一またはそれ以上の画像から同定することが含まれる。
【００２３】
通話中の第１の通信デバイス１１２に近接する第２の通信デバイス１０２、１１０、または１０６の検出には、第１のデバイス１１２が物理的領域内にあることの検出、及び、第２のデバイス１０２、１１０、または１０６もその領域内にあることの検出が含まれる。
【００２４】
通話中の第１の通信デバイス１１２に近接する第２の通信デバイス１０２、１１０、または１０６の検出には、第３の通信デバイスと第２の通信デバイス１０２、１１０または１１６間に無線通信を適用することが含まれる。第３のデバイスと第２のデバイス１０２、１１０または１１６は、ブルートゥース技術を用いて通信することができる。第３のデバイスは、第１の通信デバイス１１２のユーザが携帯していても良い。例えば、第３のデバイスは、第１の通信デバイス１１２のユーザが身につけているブルートゥースが可能なメダリオンであってもよい。
【００２５】
第２の通信デバイス１０２、１１０、または１１６が通話中の第１の通信デバイス１１２に近接していることが検出されると、その通話は実質的に遮断されることなく第１のデバイス１１２から、第２のデバイス１０２、１１０または１１６へ転送される。この通話を第２のデバイス１０２、１１０または１１６へ実質的に遮断されることのない転送には、第２のデバイス１０２、１１０または１１６を、通話を提供しているネットワーク１１４に認識させることが含まれる。ネットワーク１１４は、実質的に、この通話を第２のデバイス１０２、１１０または１０６へ複製する。通話の転送を実行するロジックは、ネットワーク１１４内にあるいはネットワークと、たとえば第１のデバイス１１２などのその他のデバイスの組み合わせ内にある。
【００２６】
いくつかの実施例では、第１のデバイス１１２と第２のデバイス１０２、１１０または１１６との間に近接性が検出された後、自動的に転送が生じる。転送は、第１のデバイス１１２の制御装置をユーザが操作した後に生じるようにしても良い。第１のデバイス１１２の制御装置には、少なくとも一のボタン、レバー、ダイアル、接触領域、スイッチ、または音声コマンド制御装置が含まれる。例えば、選択したら、通話の転送が開始するようなデバイス１１２のディスプレイ上での選択をユーザに提供してもよい。
【００２７】
代替的に、第２のデバイス１０２、１１０または１１６の制御装置をユーザが操作した後に転送が生じるようにしても良い。例えば、第２のデバイスがコンピュータ１０２であれば、そのディスプレイが、選択したら通話の転送が開始する選択を示すようにしてもよい。いくつかの実施例では、この通話は、第２のデバイスに対する第１のデバイスの動きに応じて転送される。いくつかの実施例では、この通話は、第２のデバイスに対する第１のデバイスの方向に応じて転送されるようにしても良い。
【００２８】
いくつかの実施例では、第２のデバイス１０２、１１０または１１６に通話が転送された後に、実質的に遮断されることなくこの通話が第１のデバイス１１２に返送されるようにしても良い。この第１のデバイス１１２への返送は、いくつかの実施例では自動的に生じる。一例として、第１のデバイス１１２への自動返送は、第１のデバイス１１２が第２のデバイス１０２、１１０または１１６の近接領域外に移動したときに生じるようにしても良い。この第１のデバイス１１２への返送は、第１のデバイス１１２、または第２のデバイス１０２、１１０または１１６の制御装置をユーザが操作した結果生じるようにすることもできる。
【００２９】
第１のデバイス１１２から第２のデバイス１０２、１１０または１１６への通話の転送には、第１のデバイスのパースペクティブからの通話を終了することが含まれる。いくつかの実施例では、通話の転送には、ネットワーク１１４のパースペクティブから第１のデバイス１１２への通話を終了することが含まれる。第２の通話が受信された場合は、この第２の通話が自動的にあるいはユーザの制御の下に、第２のデバイス１０２、１１０または１１６へ転送されるようにしてもよい。
【００３０】
いくつかの実施例では、第１のデバイス１１２と第２のデバイス１０２、１１０または１１６への通信が、基地局１０６などの中央構内デバイスを介して経路を決定するようにしても良い。
【００３１】
いくつかの実施例では、第２のデバイス１０２、１１０または１１６への通信が、第１のデバイスを介して経路が定められるようにしても良い。
【００３２】
中央構内デバイス１０６または第１のデバイス１１２が第２のデバイス１０２、１１０または１１６へのインターフェースを提供しているいくつかの実施例では、ネットワーク１１４とそのロジックは、通信の転送の実行に関係していなくともよい。この場合、ネットワーク１１４から見ると、この通信は、第１のデバイス１１２と未だ進行中である。
【００３３】
いくつかの実施例では、通信が第２のデバイス１０２、１１０または１１６へ転送されたが、ユーザが第１のデバイス１１２の制御装置を操作することによって、この通信に対していくつかの制御機能を実行することができる。例えば、ユーザは第１のデバイス１１２の制御装置を操作することによってこの通信を終了させることができる。
【００３４】
いくつかの実施例では、ユーザは、追加で、あるいは代替的に、第２のデバイス１０２、１１０または１１６の制御装置を操作することによって、この通信に対していくつかの制御機能を実行することができる。
【００３５】
図２は、第１のデバイスの動作によって開始する通信転送プロセスの実施例の動作フロー図である。ステップ２０２において、第１のデバイスとネットワークの間で通信が行われる。ステップ２０１において、第１のデバイスで行われている通話の転送が開始される（例えば、第２のデバイスへの転送が生じる）。転送は、第１のデバイスが第２のデバイスに近接したときに自動的に開始するようにしても良い。代替的に、及び／又は、近接性に応じて、ユーザが第１のデバイス、及び／又は、第２のデバイスの制御装置を操作して転送を開始するようにしても良い。
【００３６】
いくつかの実施例では、ユーザは、通話中の転送が可能であるとの表示を出している第１及び第２のデバイスのいずれか／双方に応答して制御装置を操作することができる。ほとんどの実施例においてデバイスは、近接性が検出された後にこの表示を行う。通信中の転送が可能であるとの表示を行う第１のデバイスの例には、タッチスクリーン選択、発光ダイオードの活性化、あるいはその他の視覚的表示の少なくとも一つを提供する、及び／又は、音又はその他の聴覚的表示を提供する第１のデバイスが含まれる。表示を行う第２のデバイスの例は、このデバイスのディスプレイ上に、転送開始の選択と共に近接性が存在することを表示するメッセージを提供することである。
【００３７】
ステップ２０４では、ネットワークが第２のデバイスへの通話接続を提供する。ステップ２０６では、ネットワークが第２のデバイスへの通信を複製する。通信の複製によって、転送完了時にユーザのパースペクティブから、実質的に遮断されない通話が行われる。このことは、ユーザの注意を第１から第２のデバイスへ瞬間的に移す必要がないので、有利である。
【００３８】
ステップ２０８では、ネットワークが第１のデバイスへの通信を減衰させる（一方、第２のデバイスへの通話は、おそらく強化される）。第１のデバイスとの通信が徐々に減衰してゆくことには、第１のデバイスとの通信量が徐々に低減することが含まれる。第２のデバイスとの通信が徐々に強化されることには、第２のデバイスとの通信量が徐々に増加してゆくことが含まれる。
【００３９】
第２のシナリオでは、ステップ２１０において、ネットワークと第２のデバイスとの間で通信が行われる。ステップ２１１において、第２のデバイスで行われている通話の転送を開始する（第１のデバイスへ転送が生じる）。転送は、第２のデバイスが第１のデバイスにもはや近接していないときに自動的に開始するようにしても良い（従って、おそらく第１のデバイスとそのユーザは、第２のデバイスから離れたところへ移動している）。代替的に、ユーザが第１又は第２のデバイスの制御装置を操作して、転送を開始することができる。
【００４０】
ステップ２１２において、ネットワークが、第１のデバイスへ通話を接続する。ステップ２１４において、ネットワークは、第１のデバイスへの通信を複製する。ステップ２１６において、第２のデバイスへの通信が減衰する（一方、おそらく第１のデバイスへの通信が強化される）。
【００４１】
ネットワークは、上記シナリオにおいて、通話中の転送に大きく関係している。代替的に、いくつかの実施例では、ネットワークは、通話中の転送が生じていることにかかわっていない。これらの実施例では、上述したとおり、通信を複製する、強化する、あるいは減衰させることを含めて、通信転送を完了するロジックの全て及び／又は一部を、ネットワーク以外の要素によって実行することができる。例えば、第１のデバイスは、第２のデバイスとの通信用のパススルーとして動作できる。
【００４２】
図３は、部分的な通信転送プロセスの一実施例を示す動作フロー図である。ステップ３０２では、第１のデバイスとネットワークとの間で通信が行われる。ステップ３０１において、第１のデバイスが第２のデバイスに近接して移動し、及び／又は、第１のデバイスのユーザが第１及び／又は第２のデバイスの制御装置を操作する。
【００４３】
ステップ３０４において、ネットワークが第２のデバイスへ通話接続を行う。
【００４４】
ステップ３０６において、この第１のデバイスへの通話に生じる一またはそれ以上の特定のデータタイプが、第２のデバイスへ複製される。この複製は、図３に示すように、ネットワーク内でロジックによって完全にまたは部分的に実行される。
【００４５】
代替的に、その他の実施例では、ネットワークは、第１のデバイスへの通話の一部の複製には関与していない。例えば、第１のデバイスは、ネットワークが介入することなく、第２のデバイスへの特別な通話情報のためのダクトとして動作する。
【００４６】
このように、図３に示すように、通話状態の一部（一またはそれ以上のデータタイプ用）が複製される。例えば、第２のデバイスがスピーカを有している場合、第１のデバイスに送られる音は、第２のデバイスのスピーカを通して表される。この同じ通話の代りに、到着したテキストメッセージなど、その他のタイプの通信が第１のデバイスを介して生じるようにしても良い。
【００４７】
第２の例として、第２のデバイスがテレビジョンである場合に、第１のデバイス用に音声と画像が複製され、テレビジョンに表示される。この同じ通話の代りに、テキストを含む画像が追加で、データエントリィが生じる第１のデバイスに表示されるようにしてもよい。
【００４８】
特定のデータタイプ用に部分的通話中の転送を完了するために、有効コンピュータ素子（例えば、プロセッサおよび第１のデバイス及び／又は第２のデバイスのロジック、及び／又は、ネットワーク）が通信データのデータタイプを検出することができる。通信のデータタイプの例には、音声、ビデオ、データファイル、あるいは音楽が含まれる。
【００４９】
更に、このデータタイプに表示するための近接デバイスの機能が認識される。この例には、画像表示、ビデオ再生、及び／又は音または音楽の再生用装置が含まれる。
【００５０】
部分的通話中の転送を完了することには、選択されたデータタイプを有していないデータの第１のデバイスとの通信の維持、及び、選択されたデータタイプを有するデータの近接デバイスへの転送が含まれる。
【００５１】
ステップ３０８において、ネットワークは第１のデバイスへのデータタイプ（例えば、音）の通信を減衰させる。別の実施例では、上述したとおり、第１の（又は第２の）デバイスによって、ネットワークを使うことなく減衰が行われる。
【００５２】
別のシナリオでは、ステップ３０８において、第１のデバイスへの通信が生じる。ステップ３０９において、近接、及び／又は、第１及び／又は第２のデバイスの制御装置をユーザが操作することによって、部分的な通話中の転送が開始される。ステップ３１０において、この開始の結果として第２のデバイスへの接続が生じる。ステップ３１２において、ネットワーク及び／又はその他のコンピュータ素子が、第２のデバイスへの特定のアプリケーションデータの通信を複製する（例えば、第２のデバイスの非常に適切なアプリケーションがあるデータを第２のデバイスへ複製する）。例えば、第２のデバイスがメディアプレーヤアプリケーションを有するコンピュータであり、第１のデバイスが携帯電話である場合、第２のデバイスで操作するのに電子ビデオメッセージが非常に適切であることが認識される。
【００５３】
特定のアプリケーションに関連するデータについての部分的通話中の転送を完了するために、特定の通信データに関連するアプリケーションが認識される。考えられるアプリケーションの例には、チャットアプリケーション、メッセージアプリケーション、ゲームアプリケーション、ビデオアプリケーション、画像処理アプリケーション、音楽アプリケーション、または音響アプリケーションが含まれる。
【００５４】
更に、ある種のアプリケーションを提供する機能の同定を含む、近接デバイスの機能のいくつかが認識される。
【００５５】
更に、アプリケーションに関連するデータを近接デバイスへ、実質的に遮断されずに転送を完了するために、デバイスの状態とデータが維持され通信される。例えば、電子メールメッセージに関連するファイルアタッチメントが、進行中の通信と共に転送される。
【００５６】
ステップ３１４において、ネットワークは第１のデバイスへのアプリケーションデータの通信を減衰させ、おそらく、第２のデバイスへのアプリケーションデータの通信を強化する。
【００５７】
以上述べたとおり、その他の実施例において、例えば、第１のデバイスが第２のデバイスへのデータタイプのダクトとして作用するといった、ネットワークロジックを使うことなく、この機能を完了することができる。
【００５８】
ここに述べたプロセス及び／又はシステムを実行することができる様々な手段（例えば、ハードウエア、ソフトウエア、及び／又はファームウエア）があり、好ましい手段は、プロセスが展開されるコンテキストに合わせて変化するであろうことは当業者には自明である。例えば、実施者がスピードと精度が重要であると決定したのであれば、この実施者は、ハードウエア及び／又はファームウエア手段についての選択を行う；代替的に、フレキシビリティが重要である場合は、実施者は、単にソフトウエア実装について選択を行う；あるいは、また代替的に、実施者は、ハードウエア、ソフトウエア、及び／又はファームウエアの組み合わせについての選択を行う。このように、ここに述べたプロセスを実行できるいくつかの可能な手段があり、いずれの手段も、使用するいずれかの手段が、この手段が展開されるコンテキスト、および変化する実施者の特定の問題（速度、フレキシビリティ、あるいは予測性）に依存する選択である点において、本質的にその他のものより優れていない。当業者は、実装の光学的態様の実現には、光学的なハードウエア、ソフトウエア、およびまたはファームウエアを必要とすることを認識するであろう。
【００５９】
上記詳細な説明は、ブロック図、フローチャート、及び／又は例を用いて、デバイス及び／又はプロセスの様々な実施例を述べたものである。このようなブロック図、フローチャート、及び／又は例が、一またはそれ以上の機能及び／又は動作を含んでいる限り、このようなブロック図、フローチャート、または例の各機能及び／又は動作は、個別に及び／又は総合的に、広範囲のハードウエア、ソフトウエア、ファームウエア、これらのほとんど全ての組み合わせによって実装可能であることは当業者によって周知であると考えられる。制御システム６０８を含めてここに記載されている主題部分のいくつかは、Application Specific Integrated Circuits (ＡＳＩＣｓ)、Field Programmable Gate Arrays (ＦＰＧＡｓ)、デジタル信号プロセッサ（ＤＳＰｓ）、またはその他の集積フォーマットを介して実装可能である。しかしながら、当業者は、ここに開示された実施例の態様のいくつかが、一又はそれ以上のコンピュータで稼動している一又はそれ以上のコンピュータプログラム（例えば、一又はそれ以上のコンピュータシステム上で稼動している一又はそれ以上のコンピュータプログラムとして）として、一又はそれ以上のプロセッサ上で稼動している一又はそれ以上のプログラム（例えば、一又はそれ以上のマイクロプロセッサ上で稼動している一又はそれ以上のプログラム）として、ファームウエアとして、または事実上これらのすべての組み合わせとして、全体的に、あるいは部分的に、標準集積回路中に、均等に実装することができることを認識しており、及び、回路設計及び／又はソフトウエア及び／又はファームウエア用コードの書き込みは、この開示に照らして当業者には公知である。更に、当業者は、ここに記載されている主題の機構が、様々な形式のプログラム製品として配布可能であり、ここに記載されている主題の図に示す実施例は、この配布を実際に行うのに使用される特定のタイプの信号保持媒体とは無関係に、等しく適用されることが自明である。信号保持媒体の例には、限定するものではないが、以下のものが含まれる：フロッピィディスク、ハードディスクドライブ、ＣＤＲＯＭ、デジタルテープ、およびコンピュータメモリなどの記録可能なタイプの媒体；及び，ＴＤＭまたはＩＰベースの通信リンク（例えば、パケットリンク）を用いたデジタルおよびアナログ通信リンクなどの送信タイプの媒体。
【００６０】
一般的な意味で、当業者は、広い範囲のハードウエア、ソフトウエア、ファームウエアまたはこれらの組み合わせによって個別に及び／又は総合的に実装することができる。上述した様々な態様が、様々なタイプの「電気回路」できることを認識する。続いて、限定するものではないが、ここで用いられている「電気回路」には、少なくとも一の分散型電子回路を有する電気回路、少なくとも一の集積回路を有する電気回路、少なくとも一のアプリケーション特定集積回路を有する電気回路、コンピュータプログラムで構成された汎用目的のコンピュータデバイスを形成する電気回路（例えば、ここに述べたプロセス及び／又はデバイスを少なくとも部分的に実行するコンピュータプログラムによって構成された汎用目的のコンピュータ、または、ここに述べたプロセス及び／又はデバイスを少なくとも部分的に実行するコンピュータプログラムによって構成されたマイクロプロセッサ）、メモリデバイスを形成する電気回路（例えば、ランダムアクセスメモリの形式）、及び／又は通信デバイスを形成する電子回路（例えば、モデム、通信スイッチ、または光電気機器）が含まれる。
【００６１】
当業者は、ここに述べた形式でデバイス及び／又はプロセスを記述して、その後標準的なエンジニアリング方式を用いてここに述べたデバイス及び／又はプロセスをより大きなシステムにまとめることはこの分野では普通であることを認識するであろう。すなわち、ここに述べたデバイス及び／又はプロセスの少なくとも一部を、相当量の実験を経て、ネットワーク処理システムにまとめることができる。
【００６２】
上述した態様は、様々なその他の構成部品内に含まれている、あるいはこれに接続されている様々な構成部品について述べたものである。このような記載されたアーキテクチュアは、単に例示的なものであり、実際、同じ機能を達成する多くのその他のアーキテクチュアを実装できると解される。概念的な意味で、同じ機能を達成する構成部品のあらゆる構成は、所望の機能が達成されるように有効に「関連」している。従って、特定の機能を達成するように組み合わされた二つの構成部品は、アーキテクチュア、あるいは中間構成部品には無関係に、所望の機能が達成されるように互いに「関連している」と見ることができる。同様に、そのように関連している二つの構成部品は、互いに「動作的に連結されている」、あるいは、「動作的に接続されており」所望の機能を達成すると見ることもできる。
【００６３】
コンテキストで明らかに要求していない限り、記載及び請求の範囲を通して、用語「具える」、「具えている」などは、排他的または網羅的といった意味ではなく、包含の意味であると考えるべきである。又は、換言すると、「限定するものではないが含んでいる」ことを意味する。単数又は複数を用いた用語も、単数または複数をそれぞれ含むものである。更に、用語「ここに」、「上記」、「下記」および同様の重要な用語は、この出願で使用する場合は、この出願全体を意味するものであり、この出願の特定の部分を別個に意味するものではない。請求の範囲で、二つ又はそれ以上のアイテムのリストに言及する「又は」の用語を使用する場合、この用語は、以下の意味を全てカバーしている：リスト中のアイテムのいずれか、リスト中のアイテムの全て、リスト中のアイテムのいずれかの組み合わせ。
【図１】
2008532341.tif 000003
【図２】
2008532341.tif 000004
【図３】
2008532341.tif 000005
【国際調査報告】
2008532341.tif 000006